(57)【要約】【課題】可撓性バンドの端部をプッシャとステープルカバーに連結させる作業が容易に行え、更に連結部の強度が充分に維持できるワンタッチオープン機構を提供する。【解決手段】取付け部材２０を、プッシャ１０とステープルカバー１４の各取り付け面との間で可撓性バンド１４を挟持させる取付け片２１を備え、取付け片２１から可撓性バンド１７を挟持させる面方向へ突出形成させた係止爪２２、２３と、可撓性バンド１７の両端部に形成された係合穴１８内に嵌合されて可撓性バンド１７の一端を保持する突起部２８を形成している保持片２７とにより構成し、取付け部材２０の突起部２８に可撓性バンド１７の端部を前記保持させて、この取付け部材２０の係止爪２２、２３をプッシャ１０とステープルカバー１４に形成した係止穴２４、２５に嵌合させて可撓性バンド１７をプッシャ１０とステープルカバー１４に取り付ける。【選択図】図４
2005144648.tif 000002
【特許請求の範囲】
【請求項１】
ステープル収容部を形成するとともに該収容部に収容したステープルを前端部に形成した打出し溝に向けて押圧するプッシャを収容したマガジンと、該マガジン内に装填された先頭のステープルを前記打出し溝から打ち出すドライバを備えた操作ハンドルと、上記打出し溝から打ち出されるステープルの脚を綴じ用紙の裏面に沿って折り曲げるクリンチャ溝を形成したクリンチャアームと、前記ステープル収容部の上面を覆うように配置されるステープルカバーとを備えて成り、前記プッシャとステープルカバーとを可撓性バンドにより連結させてステープルカバーの回動操作によってプッシャをマガジンの後方へ後退移動させるようにしたステープラーにおいて、プッシャとステープルカバーへ可撓性バンドの端部を取り付ける取付け部材が、プッシャとステープルカバーの各取り付け面との間で可撓性バンドを挟持させる取付け片を備え、前記取付け片から可撓性バンドを挟持させる面方向へ突出形成させた係止爪と、可撓性バンドの両端部に形成された係合穴内に嵌合されて可撓性バンドの一端を保持する突起部を形成して構成されており、可撓性バンドの端部を前記突起部に保持させるとともにこの取付け部材の係止爪をプッシャとステープルカバーに形成した係止穴に嵌合させて取り付けるようにしたことを特徴とするステープラーのワンタッチオープン機構。
【発明の詳細な説明】
【技術分野】
【０００１】
本発明は、マガジンに装填されたステープルを操作ハンドルを押圧操作することによってマガジンから打ち出して綴じ用紙を綴じるようにしたステープラーに関し、マガジン内へステープルを装填する際に、操作ハンドルを回動操作することによってマガジン内でステープルを押圧させているプッシャを後方へ後退作動させるようにしたステープラーのワンタッチオープン機構に関する。
【背景技術】
【０００２】
従来より、多数のステープルを収容したマガジン部と、このマガジン部内のステープルを綴じ用紙に向けて打ち出すドライバを備えた操作ハンドル部及び、綴じ用紙を貫通したステープルの脚を綴じ用紙の裏面に沿って折り曲げるクリンチャ溝を形成しているクリンチャアームとから構成されているステープラーが知られており、上記ステープラーのマガジン部には互いに接着連結された多数のステープルを収容するステープル収容部が形成されており、このステープル収容部の一端側にステープルをマガジンの下面側に配置された綴じ用紙へ向けて打ち出すための打出し溝が形成され、更に、ステープル収容部内にはステープル収容部に装填されたステープルを前記打出し溝の方向へ押圧させるようにバネ付勢されたプッシャが摺動自在に収容されている。
【０００３】
上記従来のマガジン部の上面側にはマガジンのステープル収容部の上面を覆うようにステープルカバーが配置されており、このステープルカバーは前記操作ハンドルに係止されて操作ハンドルとともに回動操作されるように構成されている。前記マガジンのステープル収容部内へステープルを装填する際には、操作ハンドルを介して前記ステープルカバーを回動操作してマガジンのステープル装填部の上面を開放させる操作と、ステープル収容部内に配置されているプッシャをバネ付勢力に抗してステープル収容部の後方側へ移動させる操作とが必要となる。
【０００４】
マガジン内へのステープルの装填操作を軽減するために、ステープルカバーとプッシャとを金属製のプッシャリンクによって連結して、マガジン部の後端部に枢支されている操作ハンドル部を回動操作して前記ステープルカバーを開放させる操作にともなってプッシャリンクを介してプッシャを自動的にステープル収容部の後方へ後退作動させるようにしたワンタッチオープン機構を採用したものが既に提案されている。この従来のプッシャリンクにより構成されているワンタッチオープン機構は、プッシャリンクの一端側を前記ステープルカバーに枢支させるとともに他端側をマガジンの両側壁に沿って摺動可能に支持させて、このプッシャリンクの他端部側をステープル収容部に配置されているプッシャと係合させることによって、操作ハンドル部を回動させてステープルカバーをマガジン部から離反する方向へ回動させたときに、前記プッシャリンクによってプッシャをステープル収容部の後方側へ移動させるようにしている。
【特許文献１】実公平６−１６６６６号公報
【０００５】
上記、従来の金属製のプッシャリンクをステープルカバーとプッシャとの間に使用した機構では、脚の長いステープルをマガジンへ装填してしまったり、又は装填したステープルがマガジン内で重なって上方に突出している場合には、このステープルにプッシャリンクが係合して前方への移動が阻止されることがあり、この場合に操作ハンドルによって大きな荷重を与えてしまうとプッシャリンク、ステープルカバー又はプッシャ等を破損してしまうことがあった。そこで、このような問題を解消するために、プッシャとステープルカバーとを可撓性のバンドで連結して、ステープルカバーの回動作動によって可撓性バンドを介してプッシャをステープル収容部の後方側へ後退作動させるようにしたワンタッチオープン機構が提案されている。
【特許文献２】特開２００３−２２０５７３号公報
【０００６】
上記従来技術では、プッシャに可撓性のバンドの一端側を連結して、可撓性バンドの他端側に拡大部を形成するとともにこの他端側をステープルカバーに形成した開口を貫通させてステープルカバーの背面側に配置させ、前記拡大部をステープルカバーの背面側に係合させることによってプッシャとステープルカバーとを連結させており、操作ハンドルを介してステープルカバーが回動作動されるときに、可撓性バンドの一端側がステープルカバーによって上方且つ後方側へ移動されることによってプッシャがステープル収容部の後方側へ後退作動させられるようにされている。
【発明の開示】
【発明が解決しようとする課題】
【０００７】
上記従来技術では、可撓性バンドの他端側がステープルカバーに形成されている開口内に貫挿されており、可撓性バンドの他端に形成した拡大部をこの開口の背面側に係合させて連結させると共に、マガジンのステープル収容部内に多量のステープルが装填されてプッシャが後方側に配置されている状態の時に、可撓性バンドの余剰長さ部分をステープルカバーの背面側へ収容させるようにしている。マガジン部の長さを長く形成して多量のステープルを装填できるようにしたステープラーにおいてはマガジン内でステープルを押圧させるプッシャの摺動ストロークも大きく設定されており、プッシャバネによるプッシャに作用している付勢力も大きく設定されているため、可撓性バンドの端部に形成した拡大部を係合させる連結構造では充分な強度が得られないという問題がある。
【０００８】
そこで、Ｕ字状に屈曲させて配置した可撓性バンドの両端をプッシャとステープルカバーに各々結合させて、ステープルカバーを回動操作することによってプッシャを後方へ移動させるように連結させる必要が発生するが、可撓性バンドはＵ字状に屈曲させて配置する必要があるため薄い材料で構成されており、プッシャとステープルカバーへの可撓性バンドの端部を取り付けする作業が極めて困難となるという問題が発生している。本発明は上記従来技術における問題点解消して、可撓性バンドの端部をプッシャとステープルカバーに連結させる作業が容易に行え、更に連結部の強度が充分に維持できるステープラーのワンタッチオープン機構を提供することを課題とする。
【課題を解決するための手段】
【０００９】
上記課題を解決するため本発明のステープラーのワンタッチオープン機構は、ステープル収容部を形成するとともに該収容部に収容したステープルを前端部に形成した打出し溝に向けて押圧するプッシャを収容したマガジンと、該マガジン内に装填された先頭のステープルを前記打出し溝から打ち出すドライバを備えた操作ハンドルと、上記打出し溝から打ち出されるステープルの脚を綴じ用紙の裏面に沿って折り曲げるクリンチャ溝を形成したクリンチャアームと、前記ステープル収容部の上面を覆うように配置されるステープルカバーとを備えて成り、前記プッシャとステープルカバーとを可撓性バンドにより連結させてステープルカバーの回動操作によってプッシャをマガジンの後方へ後退移動させるようにしたステープラーにおいて、プッシャとステープルカバーへ可撓性バンドの端部を取り付ける取付け部材が、プッシャとステープルカバーの各取り付け面との間で可撓性バンドを挟持させる取付け片を備え、前記取付け片から可撓性バンドを挟持させる面方向へ突出形成させた係止爪と、可撓性バンドの両端部に形成された係合穴内に嵌合されて可撓性バンドの一端を保持する突起部を形成して構成されており、可撓性バンドの端部を前記突起部に保持させるとともにこの取付け部材の係止爪をプッシャとステープルカバーに形成した係止穴に嵌合させて取り付けるようにしたことを特徴とする。
【発明の効果】
【００１０】
本発明のステープラーのワンタッチオープン機構によれば、プッシャとステープルカバーへ可撓性バンドの端部を取り付ける取付け部材が、プッシャとステープルカバーの各取り付け面との間で可撓性バンドを挟持させる取付け片を備え、前記取付け片から可撓性バンドを挟持させる面方向へ突出形成させた係止爪と、可撓性バンドの両端部に形成された係合穴内に嵌合されて可撓性バンドの一端を保持する突起部を形成して構成されており、可撓性バンドの端部を前記突起部に保持させるとともにこの取付け部材の係止爪をプッシャとステープルカバーに形成した係止穴に嵌合させて取り付けるようにしているので、薄く且つ弾力性があって組み付けが容易でない可撓性バンドの組み付けが簡単に容易に行え、組み付け工数の低減とコストダウンが可能となる。
【発明を実施するための最良の形態】
【００１１】
本発明は、可撓性バンドの両端をプッシャとステープルカバーに連結させる作業が容易に行え、更に、連結部の強度を充分に維持させるようにするという目的を、プッシャとステープルカバーの取り付け面との間で可撓性バンドを挟持させる取付け片を備え、前記取付け片から可撓性バンドを挟持させる面方向へ突出形成させた係止爪と、可撓性バンドの両端部に形成された係合穴内に嵌合されて可撓性バンドの一端を保持する突起部とによって構成された取付け部材を介して、プッシャとステープルカバーへ可撓性バンドの端部を取り付けることにより実現したものであり、更に具体的な実施例を以下に説明する。
【実施例１】
【００１２】
図１は本発明のワンタッチオープン機構を実施したステープラーを示す断面図であり、このステープラー１は、ステープルを収容できるように箱形に形成されるとともに前端部に打出し溝３を形成したマガジン２と、このマガジン２内に収容されたステープルを前記打出し溝３から綴じ用紙に向けて打ち出すドライバ４を保持している操作ハンドル５と、前記マガジン２から打ち出されて綴じ用紙を貫通したステープルの脚を綴じ用紙の裏面に沿って折り曲げるクリンチャ溝６を形成しているクリンチャアーム７とにより構成されており、各部材が各々の後部において枢支軸８により回動可能に支持されている。
【００１３】
前記マガジン２には上面が開放された箱形に形成されているステープル収容部９が形成されるとともに、このステープル収容部９内には、ステープル収容部９内へ装填されたステープルを前記打出し溝３方向へ押圧付勢させるプッシャ１０が収容されて設けられている。更に、ステープル収容部９の前部と後部の底壁の一部を上方へ切起こしした軸受片１１が形成され、この軸受片１１にステープル収容部９の長手方向に沿って配置されているガイドロッド１２が支持されており、前記プッシャ１０がこのガイドロッド１２に摺動可能に支持されて前記ステープル収容部９内に配置されている。このプッシャ１０は前記ガイドロッド１２に外挿されているプッシャバネ１３によって常時打出し溝３の方向へ押圧付勢されており、マガジン２のステープル収容部９内に装填されたステープルを打出し溝３方向へ押圧供給させている。
【００１４】
前記操作ハンドル５は後端部において前記マガジン２の後端部と枢支軸８によって回動可能に連結されており、更に、前記操作ハンドル５の下面側にはマガジン２のステープル収容部９内の打出し溝３に配置されたステープルと対応するように薄板状の金属片で形成されたドライバ４が設けられている。この操作ハンドル５の上面側を押圧操作することによって操作ハンドル５が前記枢支軸８を中心として回動して、操作ハンドル５に保持されているドライバ４がマガジン２のステープル収容部内８の打出し溝３上に配置されているステープルをステープル収容部９内から打ち出すように作用される。
【００１５】
更に、前記操作ハンドル５の下方には、前記マガジン２のステープル収容部９の開放されている上部を覆うように配置されるステープルカバー１４が設けられ、マガジン２のステープル収容部９内に装填されたステープルがステープル収容部９から飛び出してしまうのを防止している。このステープルカバー１４の前端は前記ドライバ４によって支持されており後端は前記枢支軸８に係合されることによって支持されている。更に、前記薄板状の金属片で形成されているドライバ４の後端部がバネ片４ａとして形成されており、このバネ片４ａが前記ステープルカバー１４の背面に当接されており、これによってステープルカバー１４と操作ハンドル５とが常時反発するように付勢されている。
【００１６】
前記マガジン２の下面側には、綴じ用紙を貫通したステープル脚と係合してこのステープル脚を綴じ用紙の裏面に沿って屈曲させるように誘導させるクリンチャ溝６を形成しているクリンチャアーム７が配置されている。このクリンチャアーム７は後端部において前記枢支軸８によって回動可能に支持されており、このクリンチャアーム７の先端部上面に形成されているクリンチャ溝６がマガジン２のステープル収容部９に形成された打出し溝３と対向するように配置され、打出し溝３から打ち出されて綴じ用紙を貫通したステープル脚と係合できるようにされている。上記クリンチャアーム７とマガジン２との間にはバネ１５が配置されており、このバネ１５の付勢力によって通常時には、前記クリンチャ溝６の上面とマガジン２の下面との間に綴じ用紙を挿入できるように両者が開かれた位置に回動されている。
【００１７】
前記マガジン２のステープル収容部９内に摺動可能に配置されているプッシャ１０と前記ステープルカバー１４とが可撓性バンド１７により連結されており、マガジン２のステープル収容部９内へステープルを装填する際には、図２に示すように、操作ハンドル５をマガジン２に対して枢支軸８を中心として大きく回動操作させる。これによって、ステープルカバー１４が操作ハンドル５に追従して回動させられてマガジン２のステープル収容部９の上面が開放させられるとともに、ステープルカバー１４とプッシャ１０とを連結している可撓性バンド１７を介してプッシャ１０がマガジン２のステープル収容部９の後端部近くまで後退させられてステープル収容部９内へステープルを装填することができるようにされている。
【００１８】
可撓性バンド１７は自由に屈曲ができるように充分な可撓性があり、且つ充分な引っ張り強度のあるフィルム状のプラスチックによって形成されており、図３に示すように、この可撓性バンド１７の両端には、幅寸法が両側に広く形成されるとともに中心部に係合穴１８が形成された係止端部１９が形成されている。この可撓性バンド１７の両端の係止端部１９が、同一形状の取付け部材２０を介してステープルカバー１４の内側面とプッシャ１０の上面に取り付けられている。
【００１９】
図４乃至図６に示すように、取付け部材２０はプラスチック材によって一体に成型されており、この取付け部材２０には前記可撓性バンド１７の係止端部１９をプッシャ１０の上面又はステープルカバー１４の内側面との間で挟持させる取付け片２１が形成されており、取付け片２１の四隅から一方側の面方向へ向けて突出された係止爪２２、２３が形成されており、これらの係止爪２２、２３をプッシャ１０の上面とステープルカバー１４の内壁に形成した係止穴２４、２５内に係合させることによってプッシャ１０とステープルカバー１４へ取付け部材２０を取り付けるようにしている。前記取付け片２１の中央部には一端側が前記取付け片２１に連結されるとともに両側に形成されているスリット２６を介して取付け片２１から分離された保持片２７が形成されており、この保持片２７に前記可撓性バンド１７の係止端部１９に形成されている係合穴１８内に挿入されて可撓性バンド１７の係止端部１９を保持させる突起部２８が形成されている。
【００２０】
プッシャ１０とステープルカバー１４には前記取付け部材２０の係止爪２２、２３を係合させるための係止穴２４、２５がそれぞれの係止爪２２、２３に対向して形成されており、各係止爪２２、２３がこれらの係止穴２４、２５内に貫挿されて各係止爪２２、２３の端部に形成されている顎部２２ａ、２３ａを係止穴２４、２５の裏面に係合させることによってプッシャ１０の上面とステープルカバー１４の内面に固定される。取付け部材２０の前方側に形成されている係止爪２２の顎部２２ａは取付け部材２０の前方側に向けて形成されており、取付け部材２０の後方側に形成された係止爪２３の顎部２３ａは取付け部材２０の後方側に向けて形成されている。更に、前方側の顎部２２ａの方が後方側の顎部２３ａより長く形成されている。更に、ステープルカバー１４には前記取付け部材２０の保持片２７に形成されている突起部２８を収容する開口２９が形成され、また、プッシャ１０には前記取付け部材２０の保持片２７の端部と係合する突片３０が形成されている。
【００２１】
前記取付け部材２０をプッシャ１０の上面へ装着する手順を図７に基づいて説明する。取付け部材２０の保持片２７に形成した突起部２８へ可撓性バンド１７の係止端１９に形成されている係合穴１８を係合させて可撓性バンド１７を取付け部材２０に仮保持させる。可撓性バンド１７を仮保持させた取付け部材２０を図７（ａ）に示すように、取付け部材２０を傾斜させるようにして取付け部材２０の前方側に形成されている係止爪２２の前方に向いた顎部２２ａをプッシャ１０の前方側に形成されている係止穴２４内に挿入して、その後図７（ｂ）に示すように、取付け部材２０の前方の係止爪２２を中心として取付け部材２０を図中の矢印方向に回動させる。これによって、図７（ｃ）に示すように取付け部材２０の前方側の係止爪２２の顎部２２ａが係止穴２４の下面側に係合されるとともに、後方側の係止爪２３がプッシャ１０の後方側に形成されている係止穴２５内へ貫挿される。このとき、取付け部材２０の保持片２７がプッシャ１０の上面に突出形成されている突片３０の上端と係合して、上方へ向けて弾性変形させられる。
【００２２】
更に、この後に図７（ｄ）に示すように、取付け部材２０を後方側へスライド移動させることによって後方側の係止爪２３に形成された顎部２３ａがプッシャ１０後方側の係止穴２５の下面と係合される。前方側の係止爪２２に形成されている顎部２２ａは長さが大きく形成されているためこのスライド移動によってもプッシャ１０の前方側の係止穴２４から外れてしまうことが無く、取付け部材２０が前方と後方側の係止爪２２、２３によってプッシャ１０の上面に固定される。取付け部材２０を後方側へスライド移動させることによって、プッシャ１０の突片３０と係合して上方へ弾性変形されていた保持片２７が突片３０から外れて保持片２７の端面が前記突片３０の後方側の面と対向した位置に配置される。この突片３０と保持片２７によって取付け部材２０が前方へ向けてスライド移動されることが阻止されて、取付け部材２０が不用意にプッシャから外れてしまうことが防止される。可撓性バンド１７は前記突起部２８が係合穴１８に嵌合されるとともにプッシャ１０の上面と取付け部材２０の取付け片２１の間で挟持されて保持される。
【００２３】
取付け部材２０をステープルカバー１４に取り付ける場合も上記のプッシャ１０に取り付ける手順と全く同様の手順によって取り付けることができる。なお、ステープルカバー１４にはプッシャ１０の上面に突出させて形成した突片３０の代わりに、保持片２７に形成されている突起部２８を収容する開口２９が形成されており、全ての係止爪２２、２３を係止穴２４、２５内に貫挿させたときに、保持片２７の突起部２８が開口２９の縁に当接して保持片２７を上方へ弾性変形させており、この後、取付け部材２０を後方へスライド移動させたときに保持片２７の突起部２８がこの開口２９内へ収容させるようにすることによって取付け部材２０の前方への移動を阻止させるようにしている。
【００２４】
尚、上記取付け部材２０を取り付けるプッシャ１０とステープルカバー１４の取り付け面の厚さ寸法が異なっているため、上記取付け部材の前方側の係止爪２２の基部には前記両部材の厚さ寸法の差と同じ寸法の段部２２ｂが形成されており、取り付け面の厚さが厚い寸法のステープルカバー１４の係止穴２４は上記段部２２ｂを貫通させる形状に形成され、薄い寸法のプッシャ１０の係止穴は上記段部２２ｂを貫通させない形状に形成されている。このように係止爪２２の基部に段部２２ｂを形成するとともにこの係止爪２２と対向した係止穴２４の形状を変えることによって同一形状の取付け部材２０によって厚さの異なった部品への取り付けが可能となり、コストダウンが可能となる。
【００２５】
このように、可撓性バンド１７を取付け部材２０の保持片２７に形成した突起部２８へ可撓性バンド１７の係止端１９を保持させて、この取付け部材２０を係止爪２２、２３と係止穴２４、２５によってプッシャ１０及びステープルカバー１４へ取り付けることによって、可撓性バンド１７の端部をプッシャ１０とステープルカバー１４へ取り付けるようにしているので、可撓性バンド１４の組み付けが容易に行え、組み付け工数の低減とコストダウンが可能となる。
【図面の簡単な説明】
【００２６】
【図１】本発明のワンタッチオープン機構を実施したステープラーの縦断側面図
【図２】ステープルを装填している状態の図１と同じステープラーの斜視図
【図３】図１のステープラーで使用している可撓性バンドの平面図
【図４】可撓性バンドがプッシャとステープルカバーに装着されている状態を記す縦断側面図
【図５】可撓性バンドをプッシャに取り付ける取付け部材の配置状態を示す斜視図
【図６】可撓性バンドをステープルカバーに取り付ける取付け部材の配置状態を示す斜視図
【図７】取付け部材をプッシャへの取り付けている手順を示す断面図であり、（ａ）は前方側の係止爪を係止穴内に挿入している状態、（ｂ）は前方側の係止爪を中心として取付け部材を回転させている状態、（ｃ）は後方側の係止爪を係止穴に貫挿させた状態、（ｄ）は取付け部材を後方側へスライドさせて顎部を係止穴に係合させた状態を示す
【符号の説明】
【００２７】
１  ステープラー
１０  プッシャ
１４  ステープルカバー
１７  可撓性バンド
２０  取付け部材
２１  取付け片
２２、２３  係止爪
２４、２５  係止穴
２７  保持片
２８  突起部
【図１】
2005144648.tif 000003
【図２】
2005144648.tif 000004
【図３】
2005144648.tif 000005
【図４】
2005144648.tif 000006
【図５】
2005144648.tif 000007
【図６】
2005144648.tif 000008
【図７】
2005144648.tif 000009